(57)【要約】      （修正有）【課題】天井に嵌設するＬＥＤ照明装置を提供する。【解決手段】天井に嵌設するＬＥＤ照明装置は、天井を金属片、プラスチック片、或いは、木片により複数の格子に分割し、天井にマトリクスのＬＥＤ１４を設置する。電源線３３によりＡＣ電源がＡＣ/ＤＣコンバータ３４に入力され、ＤＣ電源に転換され、その後、ＤＣ電源は電流安定装置３５、抵抗器３６、及び、コネクタ１７を経て、ＬＥＤの各列の両端に入力される。ＬＥＤの各列は直列される。【選択図】図７
0003139747.tif 000002
【実用新案登録請求の範囲】
【請求項１】
天井に嵌設するLED照明装置であって、前記天井を複数の格子に分割し、前記天井にマトリクスのLEDを設置し、前記格子は前記LEDの二ピン間の幅によって、複数の孔を形成して、前記LEDを挿入し、DC電源が前記LEDの各列の両端に入力され、前記LEDの各列は直列されることを特徴とする天井に嵌設するLED照明装置。
【請求項２】
電源線によりAC電源が前記AC/DCコンバータに入力されて、前記DC電源に転換され、その後、前記DC電源は、電流安定装置、抵抗器、及び、コネクタを経て、前記LEDの各列の両端に入力されることを特徴とする請求項１に記載の天井に嵌設するLED照明装置。
【請求項３】
バッテリー、或いは、DC/DCコンバータが前記DC電源を提供するのに用いられることを特徴とする請求項１に記載の天井に嵌設するLED照明装置。
【請求項４】
ソケットが前記天井に装着され、孔が前記ソケットに設置されて、前記LEDのピンが挿入されることを特徴とする請求項１に記載の天井に嵌設するLED照明装置。
【請求項５】
天井に嵌設するLED照明装置であって、前記天井を複数の格子に分割し、複数の空きフレームが前記格子上に形成され、複数のLEDモジュールをそれぞれ嵌入し、前記LEDモジュール上に、コネクタとマトリクスのLEDを配置し、前記LEDモジュール上下辺縁はねじ孔を有し、前記空きフレームの上下辺縁は板片を設置し、前記板片上のねじ孔は、前記空きフレームの辺縁に沿って露出し、前記板片上のねじ孔は前記LEDモジュール上のねじ孔に対応し、前記LEDモジュールが空きフレームに嵌入される時、ねじにより二個のねじ孔を穿過して、前記LEDモジュールと板片を固定し、DC電源が前記LEDの各列の両端に入力され、前記LEDの各列は直列されることを特徴とするLED照明装置。
【請求項６】
電源線、AC/DCコンバータ、電流安定装置、及び、抵抗器が前記板片に設置され、AC電源は、前記電源線により前記AC/DCコンバータに入力されて、前記DC電源に転換され、その後、前記DC電源は、前記電流安定装置、前記抵抗器、前記コネクタを経て、前記LEDの各列の両端に入力されることを特徴とする請求項５に記載の天井に嵌設するLED照明装置。
【請求項７】
バッテリー、或いは、DC/DCコンバータが前記DC電源を提供するのに用いられることを特徴とする請求項５に記載の天井に嵌設するLED照明装置。
【請求項８】
ソケットが前記LEDモジュールに装着され、孔が前記ソケットに設置されて、前記LEDのピンが挿入されることを特徴とする請求項５に記載の天井に嵌設するLED照明装置。
【請求項９】
前記コネクタは、台座とメスソケットと、からなり、前記台座は前記LEDモジュール上に設置され、前記メスソケットが前記板片に設置され、前記台座の二ピン下端が、前記LEDの各列の二端にそれぞれ接続され、前記二ピンの上端が前記メスソケットの二孔に挿入され、前記台座の二ピンが前記メスソケットの二孔に挿入される時、前記台座の左アームが前記メスソケットのスタンドに装着され、これにより、前記台座が前記メスソケット上に固定され、前記台座の板片が引かれて、前記アームが前記スタンドを離れる場合、前記台座が前記メスソケットから離れることを特徴とする請求項５に記載の天井に嵌設するLED照明装置。
【請求項１０】
前記コネクタは、前記ねじ孔を代替し、前記LEDモジュールと前記板片間の固定構造となることもできることを特徴とする請求項９に記載の天井に嵌設するLED照明装置。
【考案の詳細な説明】
【技術分野】
【０００１】
本考案は、LED照明装置に関するものであって、特に、天井に嵌設するLED照明装置に関するものである。
【背景技術】
【０００２】
公知の照明装置、例えば、白熱ランプ、蛍光灯などは、消耗電力が多いだけでなく、放散熱により周辺温度を上昇させるので、空調の負荷を増加させ、地球温暖化に影響し、環境破壊を招く。
【０００３】
例えば、図１は一般のオフィスの室内天井１を示す図である。天井１はマトリクスの金属片１１により複数の格子１２に分割される。格子１２は蛍光灯１３が嵌入されて照明になる。蛍光灯１３は消耗電力が多く、照明時に相当の熱量を生成するのが欠点である。それに比べて、LEDは節電型で、大量の熱量を生成しないので、一般的に普及している。
【０００４】
今日、世界は地球温暖化の問題に直面し、オフィスの室内照明システムを節電させ、熱量の散発を減少させることが必要である。
【考案の開示】
【考案が解決しようとする課題】
【０００５】
本考案は、天井に嵌設するLED照明装置を提供し、上述の問題を改善することを目的とする。
【課題を解決するための手段】
【０００６】
本考案の天井に嵌設するLED照明装置は、天井を金属片、プラスチック片、或いは、木片により複数の格子に分割し、天井にマトリクスのLEDを設置する。電源線によりAC電源がAC/DCコンバータに入力されて、DC電源に転換され、その後、DC電源は電流安定装置、抵抗器、及び、コネクタを経て、LEDの各列の両端に入力される。LEDの各列は直列される。
【０００７】
本考案のもう1つの具体例は、天井を金属片、プラスチック片、或いは、木片により複数の格子に分割する。複数の空きフレームが格子上に形成され、それぞれ、複数のLEDモジュールを嵌入する。LEDモジュール上に、コネクタとマトリクスのLEDを配置し、LEDモジュール上下辺縁はねじ孔を有する。空きフレームの上下辺縁は板片を設置し、板片上のねじ孔は、空きフレームの辺縁に沿って露出する。板片上に、電源線、AC/DCコンバータ、電流安定装置、抵抗器を有する。板片上のねじ孔はLEDモジュール上のねじ孔に対応し、LEDモジュールが空きフレームに嵌入される時、ねじにより二個のねじ孔を穿過して、LEDモジュールと板片を固定する。電源線によりAC電源がAC/DCコンバータに入力されて、DC電源に転換され、その後、DC電源は電流安定装置、抵抗器、及び、コネクタを経て、LEDの各列の両端に入力される。LEDの各列は直列される。
【考案の効果】
【０００８】
本考案により、オフィスの室内照明システムを節電させ、熱量の散発を減少させることができる。
【考案を実施するための最良の形態】
【０００９】
図２は、本考案による天井に嵌設するLED照明装置を示す図である。天井の方形格子１２は蛍光灯１３を嵌入せずに、マトリクスのLED１４を嵌入する。複数の孔が、LED１４のピンに従って格子１２上に形成され、LED１４を嵌入する。或いは、図３で示されるように、ソケット１４１が格子１２に装着され、孔１４２がソケット１４１上に形成され、LED１４のピン１４３を挿入する。
【００１０】
図４は、本考案によるLED照明装置の回路図である。AC電源は電源線２１によりAC/DCコンバータ２２に入力されて、DC電源に転換され、その後、電流安定装置２３、抵抗器２４、コネクタ２５を経て、LEDの各列の二端に入力される。LEDの各列は直列される。電源線２１、AC/DCコンバータ２２、電流安定装置２３、抵抗器２４、及び、コネクタ２５は格子１２の頂部に配置され、格子１２は、マトリクスの金属片１１により形成される方形フレームに配置される。電源線２１とAC/DCコンバータ２２は、バッテリー、或いは、DC/DCコンバータにより代替し、DC電源を提供することが可能である。
【００１１】
図５は、本考案による第二具体例を示す図である。空きフレーム１６（図６を参照）が格子１２上に形成されて、LEDモジュール１５を配置する。図６では、六つの板片３１が、空きフレーム１６の上下端と格子１２の頂部に沿って配置される。六つの板片３１は、それぞれ、ねじ孔３２を有し、空きフレーム１６の端に沿って露出する。
【００１２】
図７は、本考案の第二具体例による天井に嵌設するLED照明装置の回路図である。板体３１は、電源線３３、AC/DCコンバータ３４、電流安定装置３５、抵抗器３６を有し、LEDモジュール１５に、コネクタ１７とマトリクスのLED１４が配置される。板片３１上のねじ孔３２はLEDモジュール１５のねじ孔１８に対応し、LEDモジュール１５が空きフレーム１６に挿入される時、ねじがねじ孔１８、３２を穿過して、板片３１とLEDモジュール１５を固定する。
【００１３】
AC電源は、電源線３３によりAC/DCコンバータ３４に入力されて、DC電源に転換され、その後、電流安定装置３５、抵抗器３６、コネクタ１７を経て、LEDの各列の二端に入力され、LEDの各列は直列される。電源線３３とAC/DCコンバータ３４は、バッテリー、或いは、DC/DCコンバータにより代替し、DC電源を提供することが可能である。
【００１４】
図８は、コネクタ１７の構造を示す図である。台座１７２がLEDモジュール１５上に設置され、メスソケット１７１が板片３１に設置される。台座１７２の二ピン１７３下端が、LEDの各列の二端にそれぞれ接続され、二ピン１７３の上端がメスソケット１７１の二孔１７４に挿入される。台座１７２の二ピン１７３がメスソケット１７１の二孔１７４に挿入される時、台座１７２の左アーム１７７がメスソケット１７１のスタンド１７５に装着され、これにより、台座１７２がメスソケット１７１上に固定される。台座１７２の板片１７６が引かれて、アーム１７７がスタンド１７５を離れる場合、台座１７２がメスソケット１７１から離れる。コネクタ１７はねじ孔１８、３２を代替し、LEDモジュール１５と板片３１間の固定構造となることもできる。
【００１５】
天井１は木、プラスチック、アスベスト、或いは、ケイ酸カルシウムである。天井１を分割する金属片１１は、木片、或いは、プラスチック片により代替することもできる。
【００１６】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、特許請求の範囲で指定した内容を基準とする。
【図面の簡単な説明】
【００１７】
【図１】公知のオフィスの天井１を示す図である。
【図２】本考案による天井に嵌設するLED照明装置を示す図である。
【図３】LEDを嵌入するために天井に挿入されるソケットを示す図である。
【図４】本考案によるLED照明装置の回路図である。
【図５】本考案による第二具体例を示す図である。
【図６】天井の格子に形成される三つの空きフレームを示す図である。
【図７】本考案の第二具体例による天井に嵌設するLED照明装置の回路図である。
【図８】本考案の第二具体例によるコネクタの構造を示す図である。
【符号の説明】
【００１８】
１…天井  １１…金属片  １２…格子  １３…蛍光灯  １４…LED  １４１…ソケット  １４２…孔  １４３…ピン  １５…LEDモジュール  １６…空きフレーム  １７…コネクタ  １７１…メスソケット  １７２…台座  １７３…ピン  １７４…孔  １７５…スタンド  １７６…板片  １７７…アーム  １８…ねじ孔  ２１…電源線  ２２…AC/DCコンバータ  ２３…電流安定装置  ２４…抵抗器  ２５…コネクタ  ３１…板片  ３２…ねじ孔  ３３…電源線  ３４…AC/DCコンバータ  ３５…電流安定装置  ３６…抵抗器
【図１】
0003139747.tif 000003
【図２】
0003139747.tif 000004
【図３】
0003139747.tif 000005
【図４】
0003139747.tif 000006
【図５】
0003139747.tif 000007
【図６】
0003139747.tif 000008
【図７】
0003139747.tif 000009
【図８】
0003139747.tif 000010